(57)【要約】    【課題】煩わしい操作を行うことなく、記録媒体に記録されている全ての情報コンテンツに対して、再生中断位置から再生動作を再開させることができる情報再生装置及び情報再生方法を提供することを目的とする。    【解決手段】記録媒体に記録されている情報コンテンツ各々の再生履歴を示す再生履歴情報を情報コンテンツの各々に対応づけて管理メモリに記憶し、この再生履歴情報に基づいて情報コンテンツの再生制御を行う。この際、情報コンテンツの再生途中でその再生動作が停止された場合には、記録媒体上での再生途中の位置を示す再生位置情報をも情報コンテンツに対応付けて管理メモリに記憶する。    【選択図】図７
2006302497.tif 000002
【特許請求の範囲】
【請求項１】
複数の情報コンテンツが記録されている記録媒体から前記情報コンテンツの再生を行う情報再生装置であって、
前記記録媒体に記録されている前記情報コンテンツ各々の再生履歴を示す再生履歴情報を生成する再生履歴情報生成手段と、
前記情報コンテンツの各々に対応づけて前記再生履歴情報を記憶する管理メモリと、
前記管理メモリに記憶されている前記再生履歴情報に基づいて前記情報コンテンツの再生制御を行う再生制御手段と、を具備し、
前記再生履歴情報生成手段は、前記情報コンテンツの再生途中でその再生動作が停止された場合には、前記記録媒体上での再生途中の位置を示す再生位置情報を前記管理メモリに記憶せしめることを特徴とする情報再生装置。
【請求項２】
停止操作又はメモリ停止操作に応じて前記情報コンテンツの再生動作を停止させる停止制御手段と、をさらに有し、
前記再生履歴情報生成手段は、前記停止操作及び前記メモリ停止操作の内のどちらの操作が実施されたのかを示す情報を前記再生位置情報と共に前記情報コンテンツ各々に対応づけして前記管理メモリに記憶し、
前記再生制御手段は、前記管理メモリに記録されている情報に基づき、再生対象となった情報コンテンツが前回、前記停止操作されたものであるか或いは前記メモリ停止操作されたものであるかを判定し、前記停止操作されたものであると判定された場合には前記情報コンテンツを先頭から再生する一方、前記メモリ停止操作されたものであると判定された場合には前記再生位置情報にて示される位置から前記情報コンテンツの再生を行うことを特徴とする請求項１記載の情報再生装置。
【請求項３】
複数の情報コンテンツが記録されている記録媒体から前記情報コンテンツの再生を行う情報再生方法であって、
前記記録媒体に記録されている前記情報コンテンツ各々の再生履歴を示す再生履歴情報を生成する再生履歴情報生成行程と、
前記情報コンテンツの各々に対応づけて前記再生履歴情報を管理メモリに記憶させる記憶行程と、
前記管理メモリに記憶されている前記再生履歴情報に基づいて前記情報コンテンツの再生制御を行う再生制御行程と、を具備し、
前記再生履歴情報生成行程は、前記情報コンテンツの再生途中の状態でその再生動作が停止された場合には、前記記録媒体上での再生途中の位置を示す再生位置情報を前記情報コンテンツに対応付けて前記管理メモリに記憶せしめることを特徴とする情報再生方法。
【請求項４】
停止操作又はメモリ停止操作に応じて前記情報コンテンツの再生動作を停止させる停止制御行程をさらに有し、
前記再生履歴情報生成行程は、前記停止操作及び前記メモリ停止操作の内のいずれが実施されたのかを示す情報を前記再生位置情報と共に前記情報コンテンツ各々に対応づけして前記管理メモリに記憶し、
前記再生制御行程は、前記管理メモリに記録されている情報に基づき、再生対象となった情報コンテンツが前回、前記停止操作されたものであるか或いは前記メモリ停止操作されたものであるかを判定し、前記停止操作されたものであると判定された場合には前記情報コンテンツを先頭から再生する一方、前記メモリ停止操作されたものであると判定された場合には前記再生位置情報にて示される位置から前記情報コンテンツの再生を行うことを特徴とする請求項３記載の情報再生方法。
【発明の詳細な説明】
【技術分野】
【０００１】
本発明は、記録媒体に記録されている情報コンテンツの再生を行う情報再生装置及び情報再生方法に関する。
【背景技術】
【０００２】
映画及びテレビ番組等の情報コンテンツを、ビデオテープ、光ディスク及び磁気ディスク等の記録媒体に記録し、これを再生する情報記録再生装置として、ビデオテープレコーダ、ＤＶＤレコーダ、ハードディスクレコーダ等が知られている。現在、使用者は、このような情報記録再生装置を用いて、例えばテレビジョン放送された番組の各々を１つの記録媒体上に録画するようにしている。よって、情報記録再生装置には、かかる記録媒体中から各番組の先頭位置を自動的に検索してそこから再生を開始させる、いわゆる頭出し機能が搭載されている。しかしながら、頭出し動作は、あくまで各番組の先頭位置のみを検索するものに過ぎない。
【０００３】
従って、ある番組Ａの再生中にこれを中断して別の番組Ｂの再生に移行した際に、再び、番組Ａの続きから観賞を行いたい場合には、使用者は、画面をモニタしつつ早送り及び巻戻し操作を行って上記番組Ａの再生中断位置を探さなければならなかった。
【発明の開示】
【発明が解決しようとする課題】
【０００４】
本発明は、かかる問題を解決すべく為されたものであり、煩わしい操作を行うことなく、記録媒体に記録されている全ての情報コンテンツに対して、再生中断位置から再生動作を再開させることができる情報再生装置及び情報再生方法を提供することを目的とする。
【課題を解決するための手段】
【０００５】
請求項１記載による情報再生装置は、複数の情報コンテンツが記録されている記録媒体から前記情報コンテンツの再生を行う情報再生装置であって、前記記録媒体に記録されている前記情報コンテンツ各々の再生履歴を示す再生履歴情報を生成する再生履歴情報生成手段と、前記情報コンテンツの各々に対応づけて前記再生履歴情報を記憶する管理メモリと、前記管理メモリに記憶されている前記再生履歴情報に基づいて前記情報コンテンツの再生制御を行う再生制御手段と、を具備し、前記再生履歴情報生成手段は、前記情報コンテンツの再生途中でその再生動作が停止された場合には、前記記録媒体上での再生途中の位置を示す再生位置情報を前記管理メモリに記憶せしめる。
【０００６】
又、請求項３記載による情報再生方法は、複数の情報コンテンツが記録されている記録媒体から前記情報コンテンツの再生を行う情報再生方法であって、前記記録媒体に記録されている前記情報コンテンツ各々の再生履歴を示す再生履歴情報を生成する再生履歴情報生成行程と、前記情報コンテンツの各々に対応づけて前記再生履歴情報を管理メモリに記憶させる記憶行程と、前記管理メモリに記憶されている前記再生履歴情報に基づいて前記情報コンテンツの再生制御を行う再生制御行程と、を具備し、前記再生履歴情報生成行程は、前記情報コンテンツの再生途中の状態でその再生動作が停止された場合には、前記記録媒体上での再生途中の位置を示す再生位置情報を前記情報コンテンツに対応付けて前記管理メモリに記憶せしめる。
【発明を実施するための最良の形態】
【０００７】
本発明においては、記録媒体に記録されている情報コンテンツ各々の再生履歴を示す再生履歴情報を情報コンテンツの各々に対応づけて管理メモリに記憶し、この再生履歴情報に基づいて情報コンテンツの再生制御を行う。この際、情報コンテンツの再生途中でその再生動作が停止された場合には、記録媒体上での再生途中の位置を示す再生位置情報をも情報コンテンツに対応付けて管理メモリに記憶する。これにより、第１の情報コンテンツの再生途中で再生動作を中断して他の第２の情報コンテンツの再生動作に移行した後でも、煩わしい操作を行うことなく上記第１の情報コンテンツの再生中断箇所から再生を開始させることが可能となる。
【実施例】
【０００８】
以下に本発明の実施例を図面を参照しつつ詳細に説明する。
【０００９】
図１は、本発明による情報記録再生装置としてのハードディスクレコーダ１００の内部構成を示す図である。
【００１０】
図１において、チューナ１１は、システム制御回路１０から供給されたチャンネル指定信号に応じたチャンネルのディジタル放送波を受信する。この際、チューナ１１は、受信したディジタル放送波を復調することによりＭＰＥＧ(Moving Picture Experts Group)信号を得て、これをＭＰＥＧ信号Ｍ１としてハードディスク装置１２及びセレクタ１３の各々に供給する。又、チューナ１１は、アナログテレビジョン放送(NTSC方式、PAL方式、又はSECAM方式)のチャンネルを指定するチャンネル指定信号が供給された場合には、この指定されたチャンネルのアナログテレビジョン放送波を受信する。この際、チューナ１１は、受信したアナログテレビジョン放送波を復調して得たテレビジョン信号をＭＰＥＧエンコーダ１４に供給する。ＭＰＥＧエンコーダ１４は、かかるテレビジョン信号に対してＭＰＥＧ符号化処理を施して得た信号をＭＰＥＧ信号Ｍ２としてハードディスク装置１２に供給する。
【００１１】
ハードディスク装置１２は、システム制御回路１０から供給された記録指令信号に応じて、上記ＭＰＥＧ信号Ｍ１又はＭ２を、図２に示す如きハードディスク１２０のリングバッファ領域又は保存領域に記録する。又、ハードディスク装置１２は、システム制御回路１０から供給された再生指令信号に応じて、上記リングバッファ領域又は保存領域に記録されているＭＰＥＧ信号を読み出して再生し、これを再生ＭＰＥＧ信号ＲＭとしてセレクタ１３に供給する。この際、再生対象となる放送番組としては、テレビジョン放送に限らず、音声のみのラジオ放送番組であっても良い。
【００１２】
尚、ハードディスク装置１２は、上記リングバッファ領域内においては、図２に示す如き形態にて上記ＭＰＥＧ信号の記録及び再生を行う。この際、図２に示すライトポジションＷＰは、リングバッファ領域内での現在の記録位置を示すものであり、リードポジションＲＰは、その領域内での現在の再生位置を示すものである。これらＷＰ及びＲＰは、白抜き矢印に示されるように、夫々独立してリングバッファ領域の先頭位置から最後尾位置へ向けて徐々に移動し、最後尾に到達したら先頭位置に戻って再び最後尾位置へ向けて移動する。すなわち、リングバッファ領域内では、その領域の先頭位置から最後尾位置へ向けて連続に、かつ循環して情報記録及び再生が為されるのである。このように、リングバッファ領域内では、常時、上書きによって情報記録が為されるので、このリングバッファ領域内に記録された番組は永続的に保存されない。一方、保存領域内に記録された番組は、番組消去指令が為されるまで永続的に保存される。すなわち、ハードディスク１２０には、一時的に放送番組の記録が為されるリングバッファ領域と、永続的に放送番組の記録が可能な保存領域とが存在するのである。
【００１３】
セレクタ１３は、上記ハードディスク装置１２から供給された再生ＭＰＥＧ信号ＲＭ、及びチューナ１１から供給されたＭＰＥＧ信号Ｍ１の内から、システム制御回路１０から供給された選択信号に応じた方を択一的に選択し、これをＭＰＥＧデコーダ１７に供給する。ＭＰＥＧデコーダ１７は、セレクタ１３から供給されたＭＰＥＧ信号に対してＭＰＥＧ復号処理を施すことにより、映像信号を得てこれを映像信号ＤAVとしてセレクタ１８に供給する。ＯＳＤ(On Screen Display)画像生成回路１９は、システム制御回路１０から供給された各種メニュー画像データに応じた画像を表示させるべき画像信号ＤCを生成し、これをセレクタ１８に供給する。セレクタ１８は、上記映像信号ＤAV及び画像信号ＤCの内から、システム制御回路１０から供給された選択信号に応じた方を択一的に選択し、これをディスプレイ装置２００に供給する。ディスプレイ装置２００は、ハードディスクレコーダ１００から供給された上記映像信号ＤAV、又は画像信号ＤCに基づく画像表示を行う。
【００１４】
録画コンテンツ管理メモリ３０には、ハードディスク１２０のリングバッファ領域及び保存領域に記録された各情報コンテンツを管理すべきコンテンツ管理情報が記憶される。
【００１５】
図３は、録画コンテンツ管理メモリ３０に記憶されたコンテンツ管理情報の一例を示す図である。
【００１６】
図３に示す如く、コンテンツ管理情報は、各情報コンテンツを識別する為のコンテンツＩＤ、情報コンテンツのタイトル、記録領域アドレスＡＤE、メモリストップアドレスＡＤMS、再生履歴フラグＦRP及び削除フラグＦDLからなる。ここで、上記記録領域アドレスＡＤEとは、その情報コンテンツが記録されているハードディスク１２０上の物理アドレスを示すものである。尚、１つのシーケンシャルな情報コンテンツがハードディスク１２０内において複数のブロックに分割して記録されている場合には、これらブロック各々に対応した物理アドレスが図３に示す如く記述されることになる。又、上記メモリストップアドレスＡＤMSとは、後述する操作装置２０のメモリ停止ボタンＭＳが押圧操作された時点でのハードディスク１２０上の再生位置を示すものである。
【００１７】
又、上記再生履歴フラグＦRPとは、情報コンテンツの再生履歴を示すものである。例えば、その情報コンテンツを過去に１度も再生したことが無い場合には"０"、既に再生済みである場合には"１"、再生途中である場合には"２"なる再生履歴フラグＦRPが付される。
【００１８】
又、上記削除フラグＦDLとは、使用者がその情報コンテンツを削除したか否かを示すフラグであり、例えば、削除されていない情報コンテンツには"０"、削除された情報コンテンツには"１"なる削除フラグＦDLが付される。
【００１９】
録画コンテンツ管理メモリ３０内には、図３に示す如く、リングバッファ領域に記録された情報コンテンツに対応したコンテンツ管理情報と、保存領域に記録された情報コンテンツに対応したコンテンツ管理情報とが夫々区分けして記憶される。
【００２０】
操作装置２０は、例えば、図４に示す如き操作パネルを有するリモートコントロール(以下、リモコンと称する)である。かかる操作パネルには、ハードディスクレコーダ１００の電源をオン／オフする為の電源ボタンＧ、チャンネル指定又は各種数値入力の為の数字ボタン群ＮＧが設けられている。又、この操作パネルには、ハードディスクレコーダ１００の各種基本動作を促す為の再生ボタンＰ、早送りボタンＱ、巻戻しボタンＲ、一時停止ボタンＰＳ、停止ボタンＳ、及び録画ボタンＲＥＣが設けられている。又、操作パネルには、ディスプレイ装置２００の画面に表示された選択枠(後述する)を、その画面内で移動させる為のカーソルボタンＣＳＬが設けられている。更に、かかる操作パネルには、連続録画ボタンＳＲ、メモリ停止ボタンＭＳ、番組削除ボタンＤＬ、管理テーブル表示ボタンＡＤが設けられている。
【００２１】
尚、使用者は、ハードディスクレコーダ１００の再生動作を停止させる際には、上記停止ボタンＳ、又はメモリ停止ボタンＭＳを押圧操作する。この際、所望番組の再生途中でその再生動作を停止させて他の番組の再生に移行した後、再び、この所望番組の続きから再生を行いたい場合には、使用者は、メモリ停止ボタンＭＳを押圧操作する。
【００２２】
操作装置２０に設けられている上記各種ボタンが使用者によって押圧操作されると、操作装置２０は、その押圧されたボタンに対応した操作信号を発生し、これを赤外線又はBluetooth等の近距離無線インターフェースを用いてシステム制御回路１０に送信する。
【００２３】
システム制御回路１０は、操作装置２０から送信された各種操作信号を受信し、その操作に応じた動作を実現すべき制御を実行する。
【００２４】
以下に、システム制御回路１０によって為されるハードディスクレコーダ１００の各種動作、特に、テレビモニタ動作、連続録画動作、番組保存動作、再生動作について説明する。
【００２５】
(１)テレビモニタ動作
放送中の番組をリアルタイムで視聴する場合、使用者は、先ず、上記操作装置２０の数字ボタン群ＮＧを押圧操作することにより所望チャンネルの指定を行う。かかる操作に応じて、操作装置２０は、テレビジョンモニタ指令信号をシステム制御回路１０に供給する。このテレビジョンモニタ指令信号に応じて、システム制御回路１０は、上記所望チャンネルを示すチャンネル指定信号をチューナ１１に供給する。これと同時に、システム制御回路１０は、上記チューナ１１から出力されたＭＰＥＧ信号Ｍ１を択一的にＭＰＥＧデコーダ１７に導出すべき選択信号をセレクタ１３に供給する。更に、システム制御回路１０は、ＭＰＥＧデコーダ１７から出力された映像信号ＤAVを択一的にディスプレイ装置２００に導出すべき選択信号をセレクタ１８に供給する。以上の如き動作により、チューナ１１にて受信及び復調して得られたＭＰＥＧ信号Ｍ１は、ＭＰＥＧデコーダ１７で映像信号ＤAVに復号されてディスプレイ装置２００に供給される。これにより、ディスプレイ装置２００は、チューナ１１にて受信した所望チャンネルのディジタル放送番組をリアルタイムで画像表示することになる。
【００２６】
(２)連続録画動作
所望チャンネルで放送されている各番組を連続して順次録画させる場合、使用者は、上記操作装置２０の連続録画ボタンＳＲを押圧操作する。かかる操作に応じて操作装置２０は、連続録画指令信号をシステム制御回路１０に供給する。この連続録画指令信号に応じて、システム制御回路１０は、リングバッファ記録指令信号をハードディスク装置１２に供給する。かかるリングバッファ記録指令信号に応じて、ハードディスク装置１２は、上記チューナ１１にて受信及び復調して得られたＭＰＥＧ信号Ｍ１(又はＭ２)を、図２に示す如きハードディスク１２０のリングバッファ領域内に記録する。すなわち、ハードディスク装置１２は、上記リングバッファ領域の先頭位置から最後尾位置へと、順次、上記ＭＰＥＧ信号Ｍ１(又はＭ２)を記録して行くのである。この際、ハードディスク装置１２は、上記リングバッファ領域の最後尾位置までの記録が完了したら、再び、その先頭位置に戻ってそこから上記ＭＰＥＧ信号Ｍ１(又はＭ２)を上書き記録して行く。尚、かかるリングバッファ領域への記録を実施するにあたり、システム制御回路１０は、図３に示す如く録画コンテンツ管理メモリ３０に記憶されているコンテンツ管理情報中の再生履歴フラグＦRPを参照して、上書きすべき記録領域の優先順位を決めている。すなわち、システム制御回路１０は、再生履歴フラグＦRPが"再生済み"となっている情報コンテンツが記録されていた領域を第１番目、"未再生"となっている情報コンテンツが記録されていた領域を第２番目、"再生途中"となっている情報コンテンツが記録されていた領域を第３番目に優先して、その領域に上書きを行う。従って、ハードディスク装置１２は、上述した如き上書きの優先順位に基づいてリングバッファ領域内での記録位置を検索しつつ、上記ＭＰＥＧ信号Ｍ１(又はＭ２)の上書き記録を実施するのである。これにより、再生途中状態にある情報コンテンツが上書きされてしまう時期が最も遅くなるので、その再生途中位置からの再生を実施し得る可能性が高くなる。
【００２７】
以上の如き記録動作によれば、所望チャンネルで放送されている番組のみが順次、連続して上記リングバッファ領域内に録画されて行く。この際、システム制御回路１０は、このリングバッファ領域内に録画した番組各々に関するコンテンツ管理情報を生成し、順次、録画コンテンツ管理メモリ３０に記憶させて行く。すなわち、システム制御回路１０は、録画された番組のタイトル、及びその番組のハードディスク１２０上での物理アドレスを記録領域アドレスＡＤEとしたコンテンツ管理情報を、録画コンテンツ管理メモリ３０に記憶させるのである。尚、録画直後においては、上記メモリストップアドレスＡＤMSとしては"００００"が初期設定されている。更に、上記再生履歴フラグＦRPとしては未視聴状態を示す"０"、削除フラグＦDLとしては削除されていないことを示す"０"が夫々初期設定されている。
【００２８】
(３)番組保存動作
現時点においてチューナ１１で受信した放送番組を録画してこれを永続的に保存させる場合、使用者は、その放送番組の受信状態のまま上記操作装置２０の録画ボタンＲＥＣを押圧操作する。かかる操作に応じて、操作装置２０は、番組保存指令信号をシステム制御回路１０に供給する。この番組保存指令信号に応じて、システム制御回路１０は、チューナ１１にて受信及び復調して得られたＭＰＥＧ信号Ｍ１(又はＭ２)を、図２に示す如きハードディスク１２０の保存領域内に記録せしめるべき保存記録指令信号をハードディスク装置１２に供給する。この際、システム制御回路１０は、この保存領域内に録画した番組各々に関するコンテンツ管理情報を生成し、順次、録画コンテンツ管理メモリ３０に記憶して行く。すなわち、システム制御回路１０は、録画された番組のタイトル、及びその番組のハードディスク１２０上での物理アドレスを記録領域アドレスＡＤEとしたコンテンツ管理情報を、録画コンテンツ管理メモリ３０に記憶させるのである。尚、録画直後においては、上記メモリストップアドレスＡＤMSとしては"００００"が初期設定されている。更に、上記再生履歴フラグＦRPとしては、未視聴状態を示す"０"、削除フラグＦDLとしては、削除されていないことを示す"１"が夫々初期設定されている。
【００２９】
(４)再生動作
上述した如くハードディスク１２０に録画された番組の内から所望番組の再生を行う場合、使用者は、先ず、上記操作装置２０の管理テーブル表示ボタンＡＤを押圧操作する。かかる操作に応じて、操作装置２０は、管理テーブル表示指令をシステム制御回路１０に送信する。この管理テーブル表示指令に応じて、システム制御回路１０は、録画コンテンツ管理メモリ３０に記憶されているコンテンツ管理情報に基づく管理テーブル画像表示データを生成し、これをＯＳＤ画像生成回路１９に供給する。つまり、システム制御回路１０は、図３に示す如きコンテンツ管理情報中から、録画されている全番組のタイトル、再生履歴フラグＦRP、削除フラグＦDL及び記録領域区分(リングバッファ領域又は保存領域を示す区分)を示す情報を抽出し、これを上記管理テーブル画像表示データとして生成する。ＯＳＤ画像生成回路１９は、かかる管理テーブル画像表示データに基づき、図５に示す如き管理テーブル画像をディスプレイ２００上に表示せしめるべき画像信号ＤCを生成し、これをセレクタ１８に供給する。この際、システム制御回路１０は、ＯＳＤ画像生成回路１９から出力された上記画像信号ＤCを択一的にディスプレイ装置２００に導出すべき選択信号をセレクタ１８に供給する。かかる一連の動作により、ディスプレイ装置２００の画面上には、図５に示す如き管理テーブル画像が表示される。
【００３０】
ここで、使用者は、操作装置２０に設けられているカーソルボタンＣＳＬを操作することにより、図５に示す如くディスプレイ装置２００の画面に表示された選択枠ＳＢを、再生対象とすべき番組のタイトル上に移動せしめる。次に、使用者は、再生ボタンＰを押圧操作する。かかる操作に応じて、システム制御回路１０は、図６に示す如き再生動作開始制御ルーチンに従った制御を実行する。
【００３１】
図６において、先ず、システム制御回路１０は、再生対象となった番組に対応したコンテンツ管理情報を録画コンテンツ管理メモリ３０から読み出す(ステップＳ１)。次に、システム制御回路１０は、このコンテンツ管理情報中の上記削除フラグＦDL(図３に示す)が削除状態を示す"１"であるか否かを判定する(ステップＳ２)。かかるステップＳ２において削除フラグＦDLが削除状態を示す"１"ではないと判定された場合、次に、システム制御回路１０は、上記コンテンツ管理情報中の再生履歴フラグＦRP(図３に示す)が再生途中を示す"２"であるか否かの判定を行う(ステップＳ３)。かかるステップＳ３において、再生履歴フラグＦRPが再生途中を示す"２"ではないと判定された場合、システム制御回路１０は、コンテンツ管理情報中から記録領域アドレスＡＤE(図３に示す)を抽出し、その先頭位置から順次再生を開始させるべき再生開始指令信号をハードディスク装置１２に供給する(ステップＳ４)。
【００３２】
一方、上記ステップＳ３において、再生履歴フラグＦRPが再生途中を示す"２"であると判定された場合、システム制御回路１０は、上記コンテンツ管理情報中からメモリストップアドレスＡＤMS(図３に示す)を抽出し、その位置から順次再生を開始させるべき再生開始指令信号をハードディスク装置１２に供給する(ステップＳ５)。
【００３３】
上記ステップＳ５又はＳ４の実行後、システム制御回路１０は、ハードディスク装置１２から再生出力された上記再生ＭＰＥＧ信号ＲＭを択一的にＭＰＥＧデコーダ１７に導出すべき選択信号をセレクタ１３に供給する(ステップＳ６)。これにより、ハードディスク装置１２から再生出力された再生ＭＰＥＧ信号ＲＭは、ＭＰＥＧデコーダ１７によって映像信号ＤAVに復号された後、ディスプレイ装置２００に供給される。
【００３４】
従って、再生対象となった番組に対応した再生履歴フラグＦRPが再生途中を示すものでは無い場合には、上記ステップＳ３、Ｓ４、Ｓ６の実行により、再生対象となった番組の先頭から再生が開始される。一方、この再生履歴フラグＦRPが再生途中を示す場合には、上記ステップＳ３、Ｓ５、Ｓ６の実行により、再生途中の位置が示されているメモリストップアドレスＡＤMSの位置から番組再生が開始されるのである。
【００３５】
ステップＳ６の実行後、又は上記ステップＳ２において削除フラグＦDLが削除状態を示す"１"であると判定された場合、システム制御回路１０は、この再生動作開始制御ルーチンを抜けてメインルーチン(図示せぬ)の実行に戻る。つまり、再生対象となった番組に対応した削除フラグＦDLが削除状態を示す"１"である場合には、この番組に対する再生動作は為されないのである。
【００３６】
ここで、上述した如き再生動作中に、使用者が図４に示す如き操作パネルに設けられている操作ボタンのいずれかを押圧操作すると、システム制御回路１０は、図７に示す如き、再生停止・番組削除制御ルーチンを実行する。
【００３７】
図７において、システム制御回路１０は、先ず、押圧操作されたボタンが図４に示す番組削除ボタンＤＬであるか否かを判定する(ステップＳ１１)。かかるステップＳ１１において、番組削除ボタンＤＬが押圧操作されたと判定された場合、システム制御回路１０は、現時点において再生対象となっている番組に対応したコンテンツ管理情報中の削除フラグＦDL(図３に示す)を"１"に書き換える(ステップＳ１２)。かかるステップＳ１２の実行後、システム制御回路１０は、この再生停止・番組削除制御ルーチンを抜けてメインルーチン(図示せぬ)の実行に戻る。  すなわち、番組の再生動作中に使用者が番組削除ボタンＤＬを押圧操作すると、システム制御回路１０は、この再生中の番組に対応した削除フラグＦDLを"１"に書き換えることにより上記再生中の番組を削除状態に設定するのである。
【００３８】
一方、上記ステップＳ１１において、押圧操作されたボタンが番組削除ボタンＤＬではないと判定された場合、次にシステム制御回路１０は、この押圧操作されたボタンが図４に示す如き停止ボタンＳであるか否かの判定を行う(ステップＳ１３)。かかるステップＳ１３において、押圧操作されたボタンが停止ボタンＳであると判定された場合、システム制御回路１０は、現時点において再生対象となっている番組に対応したコンテンツ管理情報中の再生履歴フラグＦRP(図３に示す)を、再生済みを示す"１"に書き換える(ステップＳ１４)。
【００３９】
一方、上記ステップＳ１３において、押圧操作されたボタンが停止ボタンＳではないと判定された場合、次にシステム制御回路１０は、この押圧操作されたボタンが図４に示す如きメモリ停止ボタンＭＳであるか否かの判定を行う(ステップＳ１５)。かかるステップＳ１５において、押圧操作されたボタンがメモリ停止ボタンＭＳであると判定された場合、システム制御回路１０は、現時点でのハードディスク１２０内での再生位置を示すアドレスをハードディスク装置１２から取り込む(ステップＳ１６)。次に、システム制御回路１０は、この取り込んだアドレスにて、現在再生中の番組に対応したコンテンツ管理情報中のメモリストップアドレスＡＤMS(図３に示す)の値を書き換える(ステップＳ１７)。次に、システム制御回路１０は、現在再生中の番組に対応したコンテンツ管理情報中の再生履歴フラグＦRP(図３に示す)を、再生途中を示す"２"に書き換える(ステップＳ１８)。かかるステップＳ１８又はＳ１４の実行後、システム制御回路１０は、再生動作を停止せしめるべき再生停止指令信号をハードディスク装置１２に供給する(ステップＳ１９)。ステップＳ１９の実行により、ハードディスク装置１２は、その再生動作を停止する。上記ステップＳ１２又はＳ１９の実行後、又は上記ステップＳ１５において押圧操作されたボタンがメモリ停止ボタンＭＳではないと判定された場合、システム制御回路１０は、この再生停止・番組削除制御ルーチンを抜けてメインルーチン(図示せぬ)の実行に戻る。
【００４０】
従って、現在再生中の番組の再生動作を停止させるべく、使用者が停止ボタンＳを押圧操作すると、その再生動作が停止すると共に上記番組に対応した再生履歴フラグＦRPが再生済を表す"１"に設定される。これにより、次回、この番組を再生すべく図６に示す再生動作開始制御ルーチンが実施されると、そのステップＳ４及びＳ６により、かかる番組の先頭位置から再生が開始される。一方、使用者がメモリ停止ボタンＭＳを押圧操作すると、再生動作が停止すると共に、ハードディスク１２０上での再生停止位置(アドレス)がメモリストップアドレスＡＤMSとして録画コンテンツ管理メモリ３０に記憶される。更に、再生されていた番組に対応した再生履歴フラグＦRPが再生途中を表す"２"に書き換えられる。これにより、次回、この番組を再生すべく図６に示す再生動作開始制御ルーチンが実施されると、そのステップＳ５及びＳ６の実行により、前回再生動作を停止した位置から上記番組の再生が開始される。
【００４１】
このような動作によれば、番組Ａを再生している途中でこの番組Ａに対する再生動作を中断して他の番組Ｂの再生に移行した後でも、番組Ａに対する再生開始指令に応じて、上記再生中断箇所から番組Ａの再生を開始させることが可能となる。
【００４２】
尚、上記実施例においては、操作装置２０に設けられているメモリ停止ボタンＭＳの押圧操作により前述した如きメモリストップアドレスＡＤMS及び再生履歴フラグＦRPの設定が為され、削除ボタンＤＬの押圧操作により再生中の番組が削除されるようになっている。しかしながら、これらメモリ停止ボタンＭＳ及び削除ボタンＤＬの如き専用のボタンを操作装置２０に設けずとも、両者の機能を実施させるべき操作を受け付けることが可能である。
【００４３】
例えば、システム制御回路１０は、使用者が図４に示す如く操作装置２０に設けられている停止ボタンＳを押圧操作したら、図８に示す如き番組再生オプションメニューをディスプレイ装置２００の画面上に表示させるべき画像データをＯＳＤ画像生成回路１９に供給する。次に、システム制御回路１０は、このＯＳＤ画像生成回路１９から出力された画像信号ＤCを択一的にディスプレイ装置２００に導出すべき選択信号をセレクタ１８に供給する。かかる動作により、ディスプレイ装置２００の画面上には、図８に示す如き、"(１)次回の再生時には続きから再生する"、"(２)次回の再生時には先頭から再生する"、"(３)この番組を削除する"なる選択項目１〜３が示されている番組再生オプションメニューが表示される。
【００４４】
この間に、使用者が、図４に示す如き操作装置２０に設けられているカーソルボタンＣＳＬを操作して番組再生オプションメニュー上の選択項目１を選択すると、システム制御回路１０は、図７に示す如きステップＳ１６〜Ｓ１９なる一連の制御を実施する。又、使用者が、番組再生オプションメニュー上の選択項目２を選択すると、システム制御回路１０は、図７に示す如きステップＳ１４及びＳ１９なる一連の制御を実施する。又、使用者が、番組再生オプションメニュー上の選択項目３を選択すると、図７に示す如きステップＳ１２が実施されるのである。
【００４５】
すなわち、操作装置２０にメモリ停止ボタンＭＳ及び削除ボタンＤＬを設ける代わりに、図８に示す如き番組再生オプションメニュー中から項目を選択させる(使用者に対して)ことにより、これらの機能を受け付けるのである。
【００４６】
尚、上述した本発明の実施例の形態においては、再生途中を示す再生履歴フラグＦRPは、過去１度も再生したことのない情報コンテンツが再生される途中の場合に付与し、メモリストップアドレスＡＤMSは、再生途中を示す再生履歴フラグＦRPが付与された情報コンテンツに対してのみに付与していた。しかしながら、既に再生済みの情報コンテンツに対しても、再度その再生を行う途中で再生を中断したときに上記メモリストップアドレスＡＤMSを記憶させるようにしても良い。これにより、記録されている全ての情報コンテンツに対して、再生を中断したときの中断アドレスを管理できることになり、より一層、使用者の便宜を図ることが可能となる。
【００４７】
又、上記実施例においては、リングバッファ領域及び保存領域に記憶されている情報コンテンツの全てに再生履歴フラグＦRPを付与するようにしたが、リングバッファ領域及び保存領域のいずれか一方に記憶されている情報コンテンツに限って再生履歴フラグＦRPを付与するようにしても良い。
【図面の簡単な説明】
【００４８】
【図１】本発明による情報記録再生装置としてのハードディスクレコーダ１００の内部構成を示す図である。
【図２】ハードディスク１２０内に形成されたリングバッファ領域及び保存領域を示す図である。
【図３】録画コンテンツ管理メモリ３０に記憶されたコンテンツ管理情報の一例を示す図である。
【図４】操作装置２０の操作パネルの一例を示す図である。
【図５】管理テーブル画像の一例を示す図である。
【図６】再生動作開始制御ルーチンを示す図である。
【図７】再生停止・番組削除制御ルーチンを示す図である。
【図８】ディスプレイ装置２００の画面上に表示した番組再生オプションメニューの一例を示す図である。
【符号の説明】
【００４９】
１０    システム制御回路
１１    チューナ
１２    ハードディスク装置
２０    操作装置
３０    録画コンテンツ管理メモリ
【図１】
2006302497.tif 000003
【図２】
2006302497.tif 000004
【図３】
2006302497.tif 000005
【図４】
2006302497.tif 000006
【図５】
2006302497.tif 000007
【図６】
2006302497.tif 000008
【図７】
2006302497.tif 000009
【図８】
2006302497.tif 000010